(57)【要約】【課題】ＩＰ電話からＩＰ網を利用して電話をかけた場合であっても、発信者番号として発信元の一般加入電話番号を表示する。【解決手段】  コールエージェントサーバ２は、ＩＰ網１に接続されたＩＰ電話機３ａ，３ｂに付与された「ＩＰアドレス」と、ＩＰアドレスに付与された「ＩＰ電話番号」と、ＩＰ電話機３ａ，３ｂで一般公衆電話網５を利用するための「一般加入電話番号」とを関連付けて蓄積するデータベース７を有し、各ＶｏＩＰゲートウェイサーバ４ａ，４ｂからの問い合せに対して、接続先のＩＰアドレスを検索して通知する。また、発信者番号通知システムは、コールエージェントサーバ２と、ＩＰ電話機３ａ，３ｂをＩＰ網１に接続するためのＶｏＩＰゲートウェイサーバ４ａ，４ｂと、一般公衆電話網５に接続可能なゲートウェイサーバ６とを有する。【選択図】  図１
2006033397.tif 000002
【特許請求の範囲】
【請求項１】
ＩＰ網内のＩＰアドレスを管理するコールエージェントサーバであって、
ＩＰ網に接続されたＩＰ電話機に付与されたＩＰアドレスと、該ＩＰアドレスに付与されたＩＰ電話番号と、一般公衆電話網を利用するための一般加入電話番号とを関連付けて蓄積するデータベースを有し、
該データベースにアクセスして、発信元から入力された相手先のＩＰ電話番号又は一般加入電話番号から相手先のＩＰアドレスを検索するとともに、発信元のＩＰアドレスから発信元の一般加入電話番号を検索するＤＢ検索部と、
該ＤＢ検索部の検索結果を発信元に返す通知部と、
を備えたことを特徴とするコールエージェントサーバ。
【請求項２】
前記データベースに格納され、各地域の市外局番と各地区に設置されたゲートウェイサーバのＩＰアドレスとを対応付けたゲートウェイ用テーブルと、
前記ＤＢ検索部の検索の結果、登録されたＩＰアドレスが存在しない場合に、入力された電話番号を解析して市外局番を割り出す電話番号解析部と、前記市外局番から最寄りのゲートウェイサーバのＩＰアドレスを検索するゲートウェイサーバ検索部と、を備え、
該ゲートウェイサーバ検索部の検索結果を前記通知部により前記発信元に返す、
ことを特徴とする請求項１に記載のコールエージェントサーバ。
【請求項３】
ＩＰ網内のＩＰアドレスを管理するコールエージェントサーバと、複数のＩＰ電話機をＩＰ網に接続するための複数のＶｏＩＰゲートウェイサーバと、を有する音声通話システムにおける発信者番号通知システムであって、
前記コールエージェントサーバは、ＩＰ網に接続されたＩＰ電話機に付与されたＩＰアドレスと、該ＩＰアドレスに付与されたＩＰ電話番号と、一般公衆電話網を利用するための一般加入電話番号とを関連付けて蓄積するデータベースを有し、該データベースにアクセスして、発信元から入力された相手先のＩＰ電話番号又は一般加入電話番号から相手先のＩＰアドレスを検索するとともに、発信元のＩＰアドレスから発信元の一般加入電話番号を検索するＤＢ検索部と、該ＤＢ検索部の検索結果を発信元に返す通知部と、を備え、
前記ＶｏＩＰゲートウェイサーバは、発信元から入力された相手先のＩＰ電話番号又は一般加入電話番号を前記コールエージェントサーバに通知する電話番号通知部と、発信元のＩＰ電話機のＩＰアドレスを前記コールエージェントサーバに通知するＩＰアドレス通知部と、前記コールエージェントの検索結果を受ける受信部と、該受信部で受信した検索結果をもとに相手先のＶｏＩＰゲートウェイサーバにＩＰ電話機を発呼するとともにディスプレイに発信元の一般加入電話番号を表示させる指示を通知する指示部と、該指示部からのデータに基づいてＩＰ電話機を発呼するとともにディスプレイに発信元の一般加入電話番号を表示させる発呼部と、
を備えたことを特徴とする発信者番号通知システム。
【請求項４】
前記ＩＰ網は、一般公衆電話網に接続可能なゲートウェイサーバを有し、
前記コールエージェントサーバは、前記データベースに、各地域の市外局番と各地区に設置されたゲートウェイサーバのＩＰアドレスとを対応付けたゲートウェイ用テーブルを有するとともに、前記ＤＢ検索部の検索の結果、登録されたＩＰアドレスが存在しない場合に、入力された電話番号を解析して市外局番を割り出す電話番号解析部と、前記市外局番から最寄りのゲートウェイサーバのＩＰアドレスを検索するゲートウェイサーバ検索部とを備え、
該ゲートウェイサーバ検索部の検索結果を前記通知部により前記発信元のＶｏＩＰゲートウェイサーバに返すことを特徴とする請求項３に記載の発信者番号通知システム。
【請求項５】
前記ＶｏＩＰゲートウェイサーバは、前記受信部で受信した検索結果をもとに相手先のゲートウェイサーバに電話機を発呼するとともにディスプレイに発信元の一般加入電話番号を表示させる指示を通知する指示部を備えたことを特徴とする請求項４に記載の発信者番号通知システム。
【請求項６】
ＩＰ電話機からの着信に際し、発信者番号として発信元のＩＰアドレスに対応付けられた一般加入電話番号を表示させる、ことを特徴とする発信者番号通知方法。
【請求項７】
ＩＰ電話機から相手先の電話番号をＶｏＩＰゲートウェイサーバに入力するステップ（１）と、
該ＶｏＩＰゲートウェイサーバからコールエージェントサーバに前記電話番号に対応付けられたＩＰアドレスと発信元のＩＰアドレスに対応付けられた一般加入電話番号とを問い合せるステップ（２）と、
該コールエージェントサーバ内で前記ＩＰアドレスと一般加入電話番号とを検索するステップ（３）と、
検索結果を前記ＶｏＩＰゲートウェイサーバに通知するステップ（４）と、
相手先のＶｏＩＰゲートウェイサーバに相手先のＩＰアドレスと発信元の一般加入電話番号を通知するステップ（５）と、
相手先のＶｏＩＰゲートウェイサーバから所望のＩＰ電話機を呼び出すとともに、ディスプレイに発信元の一般加入電話番号を表示させるステップ（６）と、
を有することを特徴とする発信者番号通知方法。
【請求項８】
前記ステップ（３）において、所望のＩＰアドレスが見つからない場合に、入力された電話番号を解析して最寄りのゲートウェイサーバのＩＰアドレスを検索する、ことを特徴とする請求項７に記載の発信者番号通知方法。
【請求項９】
前記ステップ（５）に代えて、最寄りのゲートウェイサーバに相手先の一般加入電話番号と発信元の一般加入電話番号とを通知する、ことを特徴とする請求項８に記載の発信者番号通知方法。
【請求項１０】
前記ステップ（６）に代えて、最寄りのゲートウェイサーバから所望の電話機を呼び出すとともに、ディスプレイに発信元の一般加入電話番号を表示させる、ことを特徴とする請求項９に記載の発信者番号通知方法。
【発明の詳細な説明】
【技術分野】
【０００１】
本発明は、ＩＰ網を利用して音声通話を行うＩＰ電話機等のＩＰ端末装置に、発信元の一般加入電話番号を表示させるコールエージェントサーバ、発信者番号通知システム及び発信者番号通知方法に関する。
【背景技術】
【０００２】
一般公衆電話網を利用した一般加入電話において、ナンバー・ディスプレイ・サービスは特許文献１及び２の記載に見られるように既に広く普及している。ここで、ナンバーディスプレイ・サービスとは、ナンバーディスプレイ対応の電話機等の通信機器のディスプレイに発信元の情報を表示するサービスである。例えば、一般加入電話機の場合には「発信元の電話番号」が表示され、公衆電話の場合には「公衆電話」と表示され、発信元が「非通知」を選択している場合には「非通知」と表示される。このナンバー・ディスプレイ・サービスを受けることによって、呼び出しを受けた者は、応答する前に電話をかけてきた相手を知ることができ、呼び出しに応ずるか否かを判断することができる。
【０００３】
一方、近年、ブロードバンドが急速に普及しており、音声データも大容量の高速回線で送受信することができるようになっている。そこで、そのＩＰ網を利用して音声通話を可能にするＩＰ電話サービスが注目を集めている。かかるＩＰ電話は、一般に、所定のモデムを一般加入電話の電話機に接続するだけでＩＰ網を利用してＩＰ電話サービスを使用できるようになっている。
【０００４】
また、一般加入電話からＩＰ電話に電話をかける場合には、一般公衆電話網を利用する場合と、ＩＰアドレス所有者に割り当てられる「０５０」から始まる電話番号（以下、「ＩＰ電話番号」という）を利用する場合とがある。この「０５０」から始まるＩＰ電話番号は、総務省から通達された「電気通信番号規則の一部改正」によってＩＰ電話用の電気通信番号が規定されたものである。かかるＩＰ電話番号の導入によって、一般加入電話機からもＩＰ電話機に電話をかけることができるようになった。
【特許文献１】特開２００２−２５２６５５号公報（第３頁）
【特許文献２】特開２００４−１２９０６１号公報（第３頁）
【発明の開示】
【発明が解決しようとする課題】
【０００５】
ところが、上述したＩＰ電話番号の導入によって、ＩＰ電話からＩＰ網を利用して電話をかけた場合には、発信者番号として「０５０」から始まるＩＰ電話番号が表示されてしまっている。このＩＰ電話番号は、２００３年になってようやく導入されたばかりであり、周知の程度が低い。また、ＩＰ電話番号を知らなくても一般加入電話番号からＩＰ電話サービスを受けることができるようにしているサービスプロバイダも多い。
【０００６】
したがって、発信者番号通知としてＩＰ電話番号が表示された場合には、その電話番号を見ただけでは誰からの呼び出しであるか認識することができず、ナンバー・ディスプレイ・サービスを受けているメリットを享受できないという問題があった。
【０００７】
本発明は、かかる課題に鑑みてなされたもので、ＩＰ電話からＩＰ網を利用して電話をかけた場合であっても、発信者番号として発信元の一般加入電話番号を表示することができるコールエージェントサーバ、発信者番号通知システム及び発信者番号通知方法を提供するものである。
【課題を解決するための手段】
【０００８】
本発明は、ＩＰ網内のＩＰアドレスを管理するコールエージェントサーバであって、ＩＰ網に接続されたＩＰ電話機に付与されたＩＰアドレスと、該ＩＰアドレスに付与されたＩＰ電話番号と、一般公衆電話網を利用するための一般加入電話番号とを関連付けて蓄積するデータベースを有し、該データベースにアクセスして、発信元から入力された相手先のＩＰ電話番号又は一般加入電話番号から相手先のＩＰアドレスを検索するとともに、発信元のＩＰアドレスから発信元の一般加入電話番号を検索するＤＢ検索部と、該ＤＢ検索部の検索結果を発信元に返す通知部と、を備えたことを特徴とするコールエージェントサーバを提供する。
【０００９】
本発明によれば、発信元は、相手先のＩＰアドレスと発信元の一般加入電話番号との両方の情報を取得することができ、これらの情報に基づいて相手先のＩＰ電話機を呼び出すとともに、相手先のＩＰ電話機に発信者番号として一般加入電話番号を表示させることができる。
【００１０】
また、本発明のコールエージェントサーバは、前記データベースに格納され、各地域の市外局番と各地区に設置されたゲートウェイサーバのＩＰアドレスとを対応付けたゲートウェイ用テーブルと、前記ＤＢ検索部の検索の結果、登録されたＩＰアドレスが存在しない場合に、入力された電話番号を解析して市外局番を割り出す電話番号解析部と、前記市外局番から最寄りのゲートウェイサーバのＩＰアドレスを検索するゲートウェイサーバ検索部と、を備えることが好ましい。
【００１１】
その結果、発信元は、相手先がＩＰアドレスを所有しない場合であっても、最寄りのゲートウェイサーバのＩＰアドレスと発信元の一般加入電話番号との両方の情報を取得することができ、これらの情報に基づいて一般公衆電話網を介して相手先の電話機を呼び出すとともに、相手先の電話機に発信者番号として一般加入電話番号を表示させることができる。
【００１２】
また、本発明は、ＩＰ網内のＩＰアドレスを管理するコールエージェントサーバと、複数のＩＰ電話機をＩＰ網に接続するための複数のＶｏＩＰゲートウェイサーバと、を有する音声通話システムにおける発信者番号通知システムであって、前記コールエージェントサーバは、ＩＰ網に接続されたＩＰ電話機に付与されたＩＰアドレスと、該ＩＰアドレスに付与されたＩＰ電話番号と、一般公衆電話網を利用するための一般加入電話番号とを関連付けて蓄積するデータベースを有し、該データベースにアクセスして、発信元から入力された相手先のＩＰ電話番号又は一般加入電話番号から相手先のＩＰアドレスを検索するとともに、発信元のＩＰアドレスから発信元の一般加入電話番号を検索するＤＢ検索部と、該ＤＢ検索部の検索結果を発信元に返す通知部と、を備える。
【００１３】
そして、前記ＶｏＩＰゲートウェイサーバは、発信元から入力された相手先のＩＰ電話番号又は一般加入電話番号を前記コールエージェントサーバに通知する電話番号通知部と、発信元のＩＰ電話機のＩＰアドレスを前記コールエージェントサーバに通知するＩＰアドレス通知部と、前記コールエージェントの検索結果を受ける受信部と、該受信部で受信した検索結果をもとに相手先のＶｏＩＰゲートウェイサーバにＩＰ電話機を発呼するとともにディスプレイに発信元の一般加入電話番号を表示させる指示を通知する指示部と、該指示部からのデータに基づいてＩＰ電話機を発呼するとともにディスプレイに発信元の一般加入電話番号を表示させる発呼部とを備えている。
【００１４】
本発明によれば、発信元のＶｏＩＰゲートウェイサーバは、相手先のＩＰアドレスと発信元の一般加入電話番号との両方の情報を取得することができ、これらの情報に基づいて相手先のＶｏＩＰゲートウェイサーバを介して相手先のＩＰ電話機を呼び出すとともに、相手先のＩＰ電話機に発信者番号として一般加入電話番号を表示させることができる。
【００１５】
また、本発明の発信者番号通知システムは、前記ＩＰ網は、一般公衆電話網に接続可能なゲートウェイサーバを有し、前記コールエージェントサーバは、前記データベースに、各地域の市外局番と各地区に設置されたゲートウェイサーバのＩＰアドレスとを対応付けたゲートウェイ用テーブルを有するとともに、前記ＤＢ検索部の検索の結果、登録されたＩＰアドレスが存在しない場合に、入力された電話番号を解析して市外局番を割り出す電話番号解析部と、前記市外局番から最寄りのゲートウェイサーバのＩＰアドレスを検索するゲートウェイサーバ検索部とを備えていることが好ましい。
【００１６】
さらに、前記ＶｏＩＰゲートウェイサーバは、前記受信部で受信した検索結果をもとに相手先のゲートウェイサーバに電話機を発呼するとともにディスプレイに発信元の一般加入電話番号を表示させる指示を通知する指示部を備えていることが好ましい。
【００１７】
その結果、発信元のＶｏＩＰゲートウェイサーバは、相手先がＩＰアドレスを所有しない場合であっても、最寄りのゲートウェイサーバのＩＰアドレスと発信元の一般加入電話番号との両方の情報を取得することができ、これらの情報に基づいて最寄りのゲートウェイサーバから一般公衆電話網を介して相手先の電話機を呼び出すとともに、相手先の電話機に発信者番号として一般加入電話番号を表示させることができる。
【００１８】
また、本発明は、ＩＰ電話機からの着信に際し、発信者番号として発信元のＩＰアドレスに対応付けられた一般加入電話番号を表示させる、ことを特徴とする発信者番号通知方法を提供する。
【００１９】
本発明によれば、ＩＰ網を利用した音声通話であっても、発信者番号として一般加入電話番号を表示させることによって、発信者の特定を容易に行うことができる。
【００２０】
また、本発明の発信者番号通知方法は、ＩＰ電話機から相手先の電話番号をＶｏＩＰゲートウェイサーバに入力するステップ（１）と、該ＶｏＩＰゲートウェイサーバからコールエージェントサーバに前記電話番号に対応付けられたＩＰアドレスと発信元のＩＰアドレスに対応付けられた一般加入電話番号とを問い合せるステップ（２）と、該コールエージェントサーバ内で前記ＩＰアドレスと一般加入電話番号とを検索するステップ（３）と、検索結果を前記ＶｏＩＰゲートウェイサーバに通知するステップ（４）と、相手先のＶｏＩＰゲートウェイサーバに相手先のＩＰアドレスと発信元の一般加入電話番号を通知するステップ（５）と、相手先のＶｏＩＰゲートウェイサーバから所望のＩＰ電話機を呼び出すとともに、ディスプレイに発信元の一般加入電話番号を表示させるステップ（６）と、を有することが好ましい。
【００２１】
かかるステップ（１）〜（６）によって、発信元のＶｏＩＰゲートウェイサーバは、相手先のＩＰアドレスと発信元の一般加入電話番号との両方の情報を取得することができ、これらの情報に基づいて相手先のＶｏＩＰゲートウェイサーバを介して相手先のＩＰ電話機を呼び出すとともに、相手先のＩＰ電話機に発信者番号として一般加入電話番号を表示させることができる。
【００２２】
また、本発明の発信者番号通知方法は、前記ステップ（３）において、所望のＩＰアドレスが見つからない場合に、入力された電話番号を解析して最寄りのゲートウェイサーバのＩＰアドレスを検索し、前記ステップ（５）に代えて、最寄りのゲートウェイサーバに相手先の一般加入電話番号と発信元の一般加入電話番号とを通知し、前記ステップ（６）に代えて、最寄りのゲートウェイサーバから所望の電話機を呼び出すとともに、ディスプレイに発信元の一般加入電話番号を表示させることが好ましい。
【００２３】
かかるステップを有することによって、相手先がＩＰアドレスを所有しない場合であっても、最寄りのゲートウェイサーバのＩＰアドレスと発信元の一般加入電話番号との両方の情報を取得することができ、これらの情報に基づいて一般公衆電話網を介して相手先の電話機を呼び出すとともに、相手先の電話機に発信者番号として一般加入電話番号を表示させることができる。
【発明の効果】
【００２４】
本発明のコールエージェントサーバ、発信者番号通知システム及び発信者番号通知方法によれば、ＩＰ電話機からＩＰ網を利用して電話をかけた場合であっても、発信者番号として発信者の一般加入電話番号を表示することができるので、ナンバー・ディスプレイ・サービスのメリットを損なうことなく享受することができる。
【００２５】
例えば、（１）電話に出る前に認識率の高い一般加入電話番号を見ることによって誰から電話がかかってきたのかを容易に識別することができる、（２）留守の場合においても、着信履歴に一般加入電話番号が記録されるので、誰から電話がかかってきたのかを容易に識別することができるだけでなく、電話をかけ直すことも容易に行うことができる、などの優れた効果を奏する。
【発明を実施するための最良の形態】
【００２６】
以下、本発明の最良の実施形態について図１乃至図３を参照して説明する。ここで、図１は、本実施形態の発信者番号通知システムの概要を示す構成図である。
【００２７】
同図に示すように、本実施形態の発信者番号通知システムは、ＩＰ網１内のＩＰアドレスを管理するコールエージェントサーバ２と、ＩＰ電話機３ａ，３ｂをＩＰ網１に接続するためのＶｏＩＰゲートウェイサーバ４ａ，４ｂと、一般公衆電話網５に接続可能なゲートウェイサーバ６とを有する。
【００２８】
ＩＰ網１は、ＩＰ電話サービスを行っているサービスプロバイダ毎に構成された通信網であって、通信プロトコルであるＴＣＰ／ＩＰを用いて通信ネットワークを相互に接続した分散型コンピュータネットワークである。かかるＩＰ網１はＴＣＰ／ＩＰを介して、音声信号をＶｏＩＰ技術によってパケットデータに変換して送受信することができる。
【００２９】
ＩＰアドレスは、ＩＰ網１に接続された電話機等の機器に個別に割り当てられた識別子であって、「１４４．２５５．３６．４７」のように０から２５５までの数字を４つ並べて表現される。
【００３０】
コールエージェントサーバ２は、ＩＰ網１に接続されたＩＰ電話機３ａ，３ｂに付与された「ＩＰアドレス(xxx.xxx.xxx.xxx)」と、該ＩＰアドレスに付与された「ＩＰ電話番号(050-xxx-xxxx)」と、ＩＰ電話機３ａ，３ｂで一般公衆電話網５を利用するための「一般加入電話番号(0AB-xxx-xxxx)」とを関連付けて蓄積するデータベース７を有し、各ＶｏＩＰゲートウェイサーバ４ａ，４ｂからの問い合せに対して、接続先のＩＰアドレスを検索して通知する機能を有する。本実施形態のデータベース７には、「ＩＰアドレス」・「ＩＰ電話番号」・「一般加入電話番号」の情報が対応付けられて記憶されているため、「ＩＰ電話番号」又は「一般加入電話番号」のどちらをダイヤルしてもＩＰアドレス情報を入手することができる。
【００３１】
また、発信元の「ＩＰアドレス」から発信元の一般加入電話番号情報も入手することができる。なお、本実施形態において、ＩＰアドレスは、サービスプロバイダによって随時変更されるため、ＶｏＩＰゲートウェイサーバ４ａ，４ｂからの確認信号に基づいて、ＩＰ電話機３ａ，３ｂの現在のＩＰアドレスを逐次更新している。
【００３２】
さらに、前記データベース７には、各地域の市外局番と、各地区に設置されたゲートウェイサーバ６のＩＰアドレスを対応付けたゲートウェイ用テーブルも格納されている。
【００３３】
ここで、図２は、ＩＰ電話機３ａ，３ｂ間において発信者番号通知を行うまでのデータの流れを示すシーケンス図である。同図に示すように、コールエージェントサーバ２は、前記データベース７にアクセスして、発信元のＶｏＩＰゲートウェイサーバ４ａから入力された相手先のＩＰ電話番号又は一般加入電話番号から相手先のＩＰアドレスを検索するとともに、発信元のＩＰ電話機３ａのＩＰアドレスから発信元の一般加入電話番号を検索するＤＢ検索部２１と、該ＤＢ検索部２１の検索結果を発信元のＶｏＩＰゲートウェイサーバ４ａに返す通知部２２と、を備える。
【００３４】
ここで、図３は、ＩＰ電話機３ａと一般加入電話機３ｃとの間において発信者番号通知を行うまでのデータの流れを示すシーケンス図である。同図に示すように、コールエージェントサーバ２は、前記データベース７にアクセスして、発信元のＶｏＩＰゲートウェイサーバ４ａから入力された相手先の一般加入電話番号から相手先のＩＰアドレスを検索するとともに、発信元のＩＰ電話機のＩＰアドレスから発信元の一般加入電話番号を検索するＤＢ検索部２１と、登録されたＩＰアドレスが存在しない場合に、入力された一般加入電話番号を解析して市外局番を割り出す電話番号解析部３１と、前記市外局番をもとに前記ゲートウェイ用テーブルにアクセスして最寄りのゲートウェイサーバ６のＩＰアドレスを検索するゲートウェイサーバ検索部３２と、該ゲートウェイサーバ検索部３２の検索結果を発信元のＶｏＩＰゲートウェイサーバ４ａに返す通知部２２と、を備える。
【００３５】
ＶｏＩＰゲートウェイサーバ４ａ，４ｂは、図１に示すように、ＩＰ網１に接続されるとともに、スプリッタ８ａ，８ｂ及びモデム９ａ，９ｂを介してＩＰ電話機３ａ，３ｂと接続されている。また、モデム９ａ，９ｂはスプリッタ８ａ，８ｂを介して一般公衆電話網５にも接続されている。スプリッタ８ａ，８ｂは、ＩＰ網１へのデータ信号と一般公衆電話網５への電話信号とを分離するフィルタ機能を有する。
【００３６】
モデム９ａ，９ｂは、ＩＰ電話機３ａ，３ｂをＶｏＩＰゲートウェイサーバ４ａ，４ｂ又は一般公衆電話網５の交換機と接続するための装置である。ＩＰ電話機３ａ，３ｂから電話をかける場合には、ＩＰ電話機３ａ，３ｂのダイヤル操作によって該モデム９ａ，９ｂがＶｏＩＰゲートウェイサーバ４ａ，４ｂを呼び出し、ＩＰ網１でのデータ通信を可能な状態に接続する。また、一般加入電話機３ｃから一般加入電話番号によって電話がかかってきた場合には、一般公衆電話網５に接続された交換機からの信号を受信し、ＩＰ電話機３ａ，３ｂに電話がかかってきたことを知らせる。
【００３７】
図２に示すように、前記ＶｏＩＰゲートウェイサーバ４ａ，４ｂは、発信元から入力された相手先のＩＰ電話番号又は一般加入電話番号を前記コールエージェントサーバ２に通知する電話番号通知部２３と、発信元のＩＰ電話機３ａのＩＰアドレスを前記コールエージェントサーバ２に通知するＩＰアドレス通知部２４と、前記コールエージェントサーバ２の検索結果を受ける受信部２５と、該受信部２５で受信した検索結果をもとに相手先のＶｏＩＰゲートウェイサーバ４ｂにＩＰ電話機３ｂを発呼するとともにディスプレイに発信元の一般加入電話番号を表示させる指示を通知する指示部２６と、該指示部２６からのデータに基づいてＩＰ電話機３ｂを呼び出すとともにディスプレイに発信元の一般加入電話番号を表示させる発呼部２７と、を備える。
【００３８】
なお、図示しないが、ＶｏＩＰゲートウェイサーバ４ａ，４ｂは、音声信号をパケットデータに変換する機能と、ＩＰ網１に接続された他のＶｏＩＰゲートウェイサーバ４ａ，４ｂ、コールエージェントサーバ２及びゲートウェイサーバ６との間でパケットデータの送受信を行う機能を備えているのはもちろんである。
【００３９】
また、図３に示すように、前記ＶｏＩＰゲートウェイサーバは、前記受信部２５で受信した検索結果をもとに相手先のゲートウェイサーバ６に一般加入電話機３ｃを呼び出すとともにディスプレイに発信元の一般加入電話番号を表示させる指示を通知する指示部２６を備える。なお、図２示した受信部２５及び指示部２６と同じ符号を付したのは、該受信部２５及び指示部２６は両方の機能を発揮するものだからである。
【００４０】
ゲートウェイサーバ６は、ＩＰ網１と一般公衆電話網５とを相互に接続する通話信号変換装置であり、ＩＰ網１から受信したパケットデータを一般公衆電話網５において通話可能な通話信号に変換し、一般加入電話機３ｃに対して音声信号を送受信する。本実施形態におけるゲートウェイサーバ６は、前記ＶｏＩＰゲートウェイサーバ４ａからの指示に基づいて、所望の一般加入電話機３ｃと回線を接続するだけでなく、発信元がＩＰ電話機３ａであっても発信者番号通知として該ＩＰ電話機３ａのＩＰアドレスに対応付けられた一般加入電話番号を表示するようになっている。
【００４１】
続いて、図２及び図３を用いて、本実施形態における発信者番号通知方法について説明する。まず、図２を参照して、ＩＰ電話機３ａ，３ｂ間において発信者番号通知を行う手順について説明する。
【００４２】
ステップ（１）：ＩＰ電話機３ａのダイヤルから電話をかけたい相手先の電話番号をＶｏＩＰゲートウェイサーバ４ａに入力する（Ｓ２０１）。ここで入力する電話番号は、ＩＰ電話番号又は一般加入電話番号のいずれでもよい。なぜなら、コールエージェントサーバ２のデータベース７には、「ＩＰアドレス」・「ＩＰ電話番号」・「一般加入電話番号」の情報が対応付けられているため、ＩＰ電話番号又は一般加入電話番号のどちらをダイヤルしてもＩＰアドレス情報を入手することができるからである。なお、発信元のＩＰ電話機３ａのＩＰアドレスは、ＶｏＩＰゲートウェイサーバ４ａが自動的に管理しているため、特別な入力は不要である。
【００４３】
ステップ（２）：ＶｏＩＰゲートウェイサーバ４ａからコールエージェントサーバ２に前記電話番号に対応付けられたＩＰアドレスと発信元のＩＰ電話機３ａのＩＰアドレスに対応付けられた一般加入電話番号とを問い合せる（Ｓ２０２）。このとき、相手先の電話番号は電話番号通知部２３から、発信元のＩＰ電話機３ａのＩＰアドレスはＩＰアドレス通知部２４からコールエージェントサーバ２のＤＢ検索部２１にデータが送信される。
【００４４】
ステップ（３）：コールエージェントサーバ２内で前記ＩＰアドレスと一般加入電話番号とを検索し、検索結果を通知部２２に送信する（Ｓ２０３）。このとき、ＤＢ検索部２１が、データベース７にアクセスして、入力された相手先の電話番号に対応付けられたＩＰアドレスを検索するとともに、入力された発信元のＩＰアドレスに対応付けられた一般加入電話番号を検索する。
【００４５】
ステップ（４）：コールエージェントサーバ２の通知部２２から検索結果（相手先のＩＰアドレスと発信元の一般加入電話番号）を前記ＶｏＩＰゲートウェイサーバ４ａに通知する（Ｓ２０４）。このとき、ＶｏＩＰゲートウェイサーバ４ａは、受信部２５で前記検索結果を受け取り、指示部２６に検索結果を送信する。指示部２６は、受信した検索結果に基づいて、ＶｏＩＰゲートウェイサーバ４ｂ又はゲートウェイサーバ６のいずれかに指示を送るかを判断する。ここでは、相手先がＩＰ電話機３ｂであるため、ＶｏＩＰゲートウェイサーバ４ｂに指示を送るように判断することとなる。
【００４６】
ステップ（５）：相手先のＶｏＩＰゲートウェイサーバ４ｂに相手先のＩＰアドレスと発信元の一般加入電話番号を通知する（Ｓ２０５）。
【００４７】
ステップ（６）：相手先のＶｏＩＰゲートウェイサーバ４ｂから所望のＩＰ電話機３ｂを呼び出すとともに、ディスプレイに発信元の一般加入電話番号を表示させる（Ｓ２０６）。
【００４８】
その後、相手先がＩＰ電話機３ｂの受話器を取り、通話可能な状態になると、図示しないＶｏＩＰゲートウェイサーバ４ａ，４ｂのパケット変換部で音声データとパケットデータとが相互に変換され、ＩＰ電話機３ａ，３ｂ間において音声通話をすることが可能となる。
【００４９】
次に、図３を参照して、ＩＰ電話機３ａと一般加入電話機３ｃとの間において発信者番号通知を行う手順について説明する。
【００５０】
ステップ（１）：ＩＰ電話機３ａのダイヤルから電話をかけたい相手先の電話番号をＶｏＩＰゲートウェイサーバ４ａに入力する（Ｓ３０１）。ここで入力する電話番号は、必ず一般加入電話番号となる。なぜなら、一般加入電話機３ｃはＩＰ電話サービスに加入しておらず、ＩＰ電話番号を所有していないからである。なお、発信元のＩＰ電話機３ａのＩＰアドレスは、ＶｏＩＰゲートウェイサーバ４ａが自動的に管理しているため、特別な入力は不要である。
【００５１】
ステップ（２）：ＶｏＩＰゲートウェイサーバ４ａからコールエージェントサーバ２に前記電話番号に対応付けられたＩＰアドレスと発信元のＩＰアドレスに対応付けられた一般加入電話番号とを問い合せる（Ｓ３０２）。このとき、相手先の電話番号は電話番号通知部２３から、発信元のＩＰ電話機３ａのＩＰアドレスはＩＰアドレス通知部２４からコールエージェントサーバ２のＤＢ検索部２１にデータが送信される。
【００５２】
ステップ（３）：コールエージェントサーバ２内で前記ＩＰアドレスと一般加入電話番号とを検索するが、相手先はＩＰアドレスを所有していないため、前記電話番号を電話番号解析部３１に送信する（Ｓ３０３ａ）。電話番号解析部３１は、入力された電話番号を解析して市外局番を割り出す。なお、発信元のＩＰアドレスに対応付けられた一般加入電話番号は、別途通知部２２に送信される（Ｓ３０３ｂ）。
【００５３】
ステップ（４）：前記電話番号解析により割り出された市外局番をゲートウェイサーバ検索部３２に送信する（Ｓ３０４）。ゲートウェイサーバ検索部３２は、送信された市外局番から一般加入電話機３ｃに最寄りのゲートウェイサーバ６のＩＰアドレスをデータベース７のゲートウェイ用テーブルにアクセスして検索する。
【００５４】
ステップ（５）：前記検索結果をコールエージェントサーバ２の通知部２２に送信する（Ｓ３０５）。その結果、通知部２２には、相手先の一般加入電話機３ｃに最寄りのゲートウェイサーバ６に関する情報と、発信元のＩＰアドレスに対応付けられた一般加入電話番号に関する情報とが集約される。
【００５５】
ステップ（６）：前記通知部２２から集約された情報（相手先の一般加入電話機３ｃに最寄りのゲートウェイサーバ６のＩＰアドレスと発信元の一般加入電話番号）を前記ＶｏＩＰゲートウェイサーバ４ａに通知する（Ｓ３０６）。このとき、ＶｏＩＰゲートウェイサーバ４ａは、受信部２５で前記検索結果を受け取り、指示部２６に検索結果を送信する。
【００５６】
指示部２６は、受信した検索結果に基づいて、ＶｏＩＰゲートウェイサーバ４ｂ又はゲートウェイサーバ６のいずれかに指示を送るかを判断する。ここでは、相手先が一般加入電話機３ｃであるため、ゲートウェイサーバ６に指示を送るように判断することとなる。
【００５７】
ステップ（７）：相手先のゲートウェイサーバ６に相手先の一般加入電話番号と発信元の一般加入電話番号を通知する（Ｓ３０７）。
【００５８】
ステップ（８）：相手先のゲートウェイサーバ６から所望の一般加入電話機３ｃを呼び出すとともに、ディスプレイに発信元の一般加入電話番号を表示させる（Ｓ３０８）。
【００５９】
その後、相手先が一般加入電話機３ｃの受話器を取り、通話可能な状態になると、図示しないＶｏＩＰゲートウェイサーバ４ａ及びゲートウェイサーバ６のパケット変換部で音声データとパケットデータとが相互に変換され、ＩＰ網１及び一般公衆電話網５を介してＩＰ電話機３ａと一般加入電話機３ｃとの間において音声通話をすることが可能となる。
【００６０】
上述したように、本実施形態における発信者番号通知方法は、ＩＰ電話機からの着信に際し、発信者番号として発信元のＩＰアドレスに対応付けられた一般加入電話番号を表示させるものである。したがって、ＩＰ電話機３ａからＩＰ網を利用してＩＰ電話機３ｂ及び一般加入電話機３ｃに電話をかけた場合であっても、発信者番号として発信元の一般加入電話番号を表示することができるので、ナンバー・ディスプレイ・サービスのメリットを損なうことなく享受することができる。
【００６１】
なお、上述した説明ではＩＰ端末装置としてＩＰ電話機を使用した場合について説明したが、発信元の一般加入電話番号が表示されるＩＰ端末装置はこれに限られるものではなく、モデムやパソコンのディスプレイであってもよい。
【図面の簡単な説明】
【００６２】
【図１】本実施形態の発信者番号通知システムの概要を示す構成図である。
【図２】ＩＰ電話機間において発信者番号通知を行うまでのデータの流れを示すシーケンス図である。
【図３】ＩＰ電話機と一般加入電話機との間において発信者番号通知を行うまでのデータの流れを示すシーケンス図である。
【符号の説明】
【００６３】
１…ＩＰ網、２…コールエージェントサーバ、３ａ，３ｂ…ＩＰ電話機、３ｃ…一般加入電話機、４ａ，４ｂ…ＶｏＩＰゲートウェイサーバ、５…一般公衆電話網、６…ゲートウェイサーバ、７…データベース、８ａ，８ｂ…スプリッタ、９ａ，９ｂ…モデム、２１…ＤＢ検索部、２２…通知部、２３…電話番号通知部、２４…ＩＰアドレス通知部、２５…受信部、２６…指示部、２７…発呼部、３１…電話番号解析部、３２…ゲートウェイサーバ検索部
【図１】
2006033397.tif 000003
【図２】
2006033397.tif 000004
【図３】
2006033397.tif 000005